(57)【要約】【課題】燃料電池の発電停止の可否を適切に判定しないと、発電運転の停止中に、カソード触媒が劣化する。【解決手段】制御弁を周期的に開閉することによって、制御弁よりも下流のアノードガスの圧力を周期的に増減圧させるとともに、燃料電池に対する発電の停止指令に基づいて燃料電池の発電運転を停止し、所定の運転再開条件が成立すると、燃料電池へのアノードガスの供給と共に燃料電池の発電運転を再開する燃料電池システムにおいて、燃料電池の発電領域内で局所的にアノードガス濃度が低くなっている位置のアノードガス濃度を求め、求めたアノードガス濃度に応じて、燃料電池の発電運転の停止処理への移行可否を決定する。【選択図】図６
2013182690.tif 000002
【特許請求の範囲】
【請求項１】
アノードガスおよびカソードガスを燃料電池に供給して発電させる燃料電池システムであって、
前記燃料電池に供給するアノードガスの圧力を制御する制御弁と、
前記燃料電池から排出されるアノードオフガスを蓄えるバッファ部と、
前記制御弁よりも下流のアノードガスの圧力が周期的に増減するように前記制御弁を制御する脈動運転制御手段とを備えた非循環型アノードシステムにおいて、
前記燃料電池に対する発電の停止指令に基づいて前記制御弁を閉止して前記アノードガスの供給と燃料電池の発電運転を停止し、所定の運転再開条件が成立すると前記燃料電池へのアノードガスの供給と共に、発電運転を再開する停止再始動制御手段と、
前記燃料電池の発電領域内で局所的にアノードガス濃度が低くなる位置のアノードガス濃度を求めるアノードガス濃度取得手段と、
前記アノードガス濃度取得手段によって求められたアノードガス濃度に応じて、前記燃料電池の発電運転の停止処理への移行可否を決定する停止処理決定手段と、
を備えることを特徴とする燃料電池システム。
【請求項２】
請求項１に記載の燃料電池システムにおいて、
前記停止処理決定手段は、前記アノードガス濃度取得手段によって求められたアノードガス濃度が所定濃度以上の場合に、前記燃料電池の発電運転の停止処理への移行を許可する、
ことを特徴とする燃料電池システム。
【請求項３】
請求項２に記載の燃料電池システムにおいて、
前記所定濃度は、発電運転の停止状態から前記燃料電池の発電運転を再開した際に燃料電池の出力が低下する量の許容値に応じた濃度である、
ことを特徴とする燃料電池システム。
【請求項４】
請求項２に記載の燃料電池システムにおいて、
前記所定濃度は、発電運転の停止中に前記燃料電池のカソード触媒が劣化する量の許容値に応じた濃度である、
ことを特徴とする燃料電池システム。
【請求項５】
請求項１から請求項４のいずれか一項に記載の燃料電池システムにおいて、
前記燃料電池の発電運転を停止させる直前のアノード系内の圧力降下量を求めるアノード圧降下量取得手段をさらに備え、
前記アノードガス濃度取得手段は、前記アノード系内の圧力降下量に基づいて、前記局所的にアノードガス濃度が低くなっている位置のアノードガス濃度を推定する、
ことを特徴とする燃料電池システム。
【請求項６】
請求項５に記載の燃料電池システムにおいて、
前記停止処理決定手段は、前記アノード系内の圧力降下量が所定圧力降下量以下の場合に、前記燃料電池の発電運転の停止処理への移行を許可する、
ことを特徴とする燃料電池システム。
【請求項７】
請求項６に記載の燃料電池システムにおいて、
前記所定圧力降下量は、発電運転の停止状態から前記燃料電池の発電運転を再開した際に燃料電池の出力が低下する量の許容値に応じた圧力降下量である、
ことを特徴とする燃料電池システム。
【請求項８】
請求項６に記載の燃料電池システムにおいて、
前記所定圧力降下量は、発電運転の停止中に前記燃料電池のカソード触媒が劣化する量の許容値に応じた圧力降下量である、
ことを特徴とする燃料電池システム。
【発明の詳細な説明】
【技術分野】
【０００１】
本発明は、燃料電池システムに関する。
【背景技術】
【０００２】
従来、燃料電池の停止後の次回起動時に燃料電池の性能低下が起こると判定すると、燃料電池の発電を停止させずに継続させる技術が知られている（特許文献１参照）。特に、引用文献１には、燃料電池に供給する電極活物質を含有するガス中の不純物濃度が所定値以上のときに、性能低下が起こると判定することが開示されている。
【先行技術文献】
【特許文献】
【０００３】
【特許文献１】特開２００５−２６０５４号公報
【発明の概要】
【発明が解決しようとする課題】
【０００４】
現在、本願発明者らは、特許文献１に開示された循環システムとは異なる、アノード非循環システムを開発している。アノード非循環システムでは、脈動によって運転中の不純物（窒素や水）をアノードオフガス側に設けられるバッファタンクへ押し込むことを行っている。当該システムにおいてシステム停止が実行されると、次のような課題が生じることが知見された。
【０００５】
システム停止中にカソード側からクロスリークする酸素（カソードガス）によりアノード側の水素（アノードガス）が消費されると、バッファタンクの圧力に比してスタック内の圧力が低くなり、バッファタンク内の不純物含有ガスがスタック内に徐々に逆流してくる。これにより、循環系システムに比して、システム停止中に発電領域内に、局所的に不純物濃度が高くなる箇所が存在する可能性がある。従って、供給するアノードガスやアノードから排出されるオフガスの中の不純物濃度に基づいて、燃料電池の発電運転の停止可否を判定すると、停止させるべきでないときに停止させてしまう場合がある。
【０００６】
本発明は、燃料電池の発電領域内で局所的にアノードガス濃度が低くなっている位置のアノードガス濃度に応じて、燃料電池の発電運転の停止処理への移行可否を適切に決定することを目的とする。
【課題を解決するための手段】
【０００７】
本発明による燃料電池システムは、燃料電池に供給するアノードガスの圧力を制御する制御弁と、燃料電池から排出されるアノードオフガスを蓄えるバッファ部とを備え、制御弁よりも下流のアノードガスの圧力が周期的に増減するように制御弁を制御し、燃料電池に対する発電の停止指令に基づいて制御弁を閉止してアノードガスの供給と燃料電池の発電運転を停止し、所定の運転再開条件が成立すると、燃料電池へのアノードガスの供給と共に発電運転を再開する。この燃料電池システムにおいて、燃料電池の発電領域内で局所的にアノードガス濃度が低くなる位置のアノードガス濃度を求め、求めたアノードガス濃度に応じて、燃料電池の発電運転の停止処理への移行可否を決定する。
【発明の効果】
【０００８】
本発明によれば、燃料電池の発電停止指令後に、運転の停止によりバッファタンクからの不純物混合ガスが発電領域に逆流し、それに起因して、局所的に不純物濃度が高くなることを防ぐために、燃料電池の発電領域内で局所的にアノードガス濃度が低くなる位置の濃度を推定し、推定したアノードガス濃度に応じて、燃料電池の発電運転の停止処理への移行可否を適切に決定することにより、発電停止中のカソード触媒の劣化を抑制することができる。
【図面の簡単な説明】
【０００９】
【図１】図１は、第１の実施形態における燃料電池システムの構成について説明するための図である。
【図２】図２は、第１の実施形態におけるアノードガス非循環型の燃料電池システムの概略構成図である。
【図３】図３は、燃料電池システムの運転状態が一定の定常運転時における脈動運転について説明する図である。
【図４】図４は、下げ過渡運転時に圧力調整弁を全閉にしてアノード圧を下限圧まで低下させた場合のアノード圧の変化を示すタイムチャートである。
【図５】図５は、アノードガス流路の内部で局所的にアノードガス濃度が他よりも低くなる部分が発生する理由について説明するための図である。
【図６】図６は、第１の実施形態における燃料電池システムによって行われる、燃料電池スタックの停止処理への移行の許可／禁止を判断する処理を示すフローチャートである。
【図７】図７は、アノード圧降下量と、下げ過渡前バッファ濃度とに基づいて、推定流路内最低アノードガス濃度を算出するマップである。
【図８】図８は、流路内最低アノードガス濃度と、発電運転再開時における燃料電池スタックの出力低下量との関係を示す図である。
【図９】図９は、流路内最低アノードガス濃度と、燃料電池スタックの発電運転の停止時におけるカソード触媒の劣化量との関係を示す図である。
【図１０】図１０は、第２の実施形態における燃料電池システムによって行われる、燃料電池スタックの停止処理への移行の許可／禁止を判断する処理を示すフローチャートである。
【図１１】図１１は、アノードガス圧力降下量と、発電運転再開時における燃料電池スタックの出力低下量との関係を示す図である。
【図１２】図１２は、アノードガス圧力降下量と、燃料電池スタックの発電運転の停止時におけるカソード触媒の劣化量との関係を示す図である。
【図１３】図１３は、アクセルペダルがオフされた後のアノードガス圧力の時間変化の一例を示す図である。
【図１４】図ｌ４は、アクセルペダルがオフされた後におけるアノードガス圧力の時間変化の他の例を示す図である。
【発明を実施するための形態】
【００１０】
−第１の実施形態−
燃料電池は電解質膜をアノード電極（燃料極）とカソード電極（酸化剤極）とで挟み、アノード電極に水素を含有するアノードガス（燃料ガス）、カソード電極に酸素を含有するカソードガス（酸化剤ガス）を供給することによって発電する。アノード電極及びカソード電極の両電極において進行する電極反応は以下の通りである。
【００１１】
アノード電極  ：    ２Ｈ2 →４Ｈ+ ＋４ｅ-                  …(１)
カソード電極  ：    ４Ｈ+ ＋４ｅ- ＋Ｏ2 →２Ｈ2Ｏ          …(２)
式（１）及び式（２）の電極反応によって燃料電池は１ボルト程度の起電力を生じる。
【００１２】
図１は、第１の実施形態における燃料電池システムの構成について説明するための図である。図１（Ａ）は、燃料電池１０の斜視図である。図１（Ｂ）は、図１（Ａ）の燃料電池のＢ−Ｂ断面図である。
【００１３】
燃料電池１０は、膜電極接合体（Membrane Electrode Assembly；以下「ＭＥＡ」という）１１の表裏両面に、アノードセパレータ１２とカソードセパレータ１３とが配置されて構成される。
【００１４】
ＭＥＡ１１は、電解質膜１１１と、アノード電極１１２と、カソード電極１１３と、を備える。ＭＥＡ１１は、電解質膜１１１の一方の面にアノード電極１１２を有し、他方の面にカソード電極１１３を有する。
【００１５】
電解質膜１１１は、フッ素系樹脂により形成されたプロトン伝導性のイオン交換膜である。電解質膜１１１は、湿潤状態で良好な電気伝導性を示す。
【００１６】
アノード電極１１２は、触媒層１１２ａとガス拡散層１１２ｂとを備える。触媒層１１２ａは、電解質膜１１１と接する。触媒層１１２ａは、白金又は白金等が担持されたカーボンブラック粒子から形成される。ガス拡散層１１２ｂは、触媒層１１２ａの外側（電解質膜１１１の反対側）に設けられ、アノードセパレータ１２と接する。ガス拡散層１１２ｂは、充分なガス拡散性および導電性を有する部材によって形成され、例えば、炭素繊維からなる糸で織成したカーボンクロスやカーボンペーパーで形成される。
【００１７】
カソード電極１１３もアノード電極１１２と同様に、触媒層１１３ａとガス拡散層１１３ｂとを備える。
【００１８】
アノードセパレータ１２は、ガス拡散層１１２ｂと接する。アノードセパレータ１２は、ガス拡散層１１２ｂと接する側に、アノード電極１１２にアノードガスを供給するための複数の溝状のアノードガス流路１２１を有する。
【００１９】
カソードセパレータ１３は、ガス拡散層１１３ｂと接する。カソードセパレータ１３は、ガス拡散層１１３ｂと接する側に、カソード電極１１３にカソードガスを供給するための複数の溝状のカソードガス流路１３１を有する。
【００２０】
アノードガス流路１２１を流れるアノードガスと、カソードガス流路１３１を流れるカソードガスとは、互いに平行に同一方向に流れても良いし、互いに平行に逆方向に流れるようにしても良い。また、直交するように流しても良い。
【００２１】
このような燃料電池１０を自動車用動力源として使用する場合には、要求される電力が大きいため、数百枚の燃料電池１０を積層した燃料電池スタックとして使用する。そして、燃料電池スタックにアノードガス及びカソードガスを供給する燃料電池システムを構成して、車両駆動用の電力を取り出す。
【００２２】
図２は、第１の実施形態におけるアノードガス非循環型の燃料電池システム１の概略構成図である。
【００２３】
燃料電池スタック２は、複数枚の燃料電池１０を積層したものであり、アノードガス及びカソードガスの供給を受けて発電し、車両の駆動に必要な電力（例えばモータを駆動するために必要な電力）を発電する。本実施形態では、カソードガスとして空気を使用している。
【００２４】
燃料電池スタック２のアノードには、高圧のアノードガス（水素）を貯蔵した高圧タンク３１から、アノードガス供給配管３２（燃料ガス供給流路）を介してアノードガスが供給される。高圧タンク３１の代わりに、アルコール、炭化水素などを原料とする改質反応によって水素を生成してもよい。
【００２５】
アノードガス供給配管３２には、アノードガスの供給量を調整するために、圧力調整弁３３が配置されている。圧力調整弁３３は、連続的又は段階的に開度を調節することができる電磁弁であり、その開度はコントローラ４によって制御される。
【００２６】
圧力センサ３４は、圧力調整弁３３よりも下流のアノードガス供給配管３２に設けられる。圧力センサ３４は、圧力調整弁３３よりも下流のアノードガス供給配管３２を流れるアノードガスの圧力を検出する。本実施形態では、この圧力センサ３４で検出したアノードガスの圧力を、燃料電池スタック内部の各アノードガス流路１２１とバッファタンク３６とを含むアノード系全体の圧力（以下「アノード圧」という。）として代用する。
【００２７】
アノードガス排気配管３５は、一端部が燃料電池スタック２のアノードガス出口孔に接続され、他端部がバッファタンク３６の上部に接続される。アノードガス排気配管３５には、電極反応に使用されなかった余剰のアノードガスと、カソード側からアノードガス流路１２１へとクロスリークしてきた窒素や水蒸気などの不純ガスとの混合ガス（以下、「アノードオフガス」という。）が排出される。
【００２８】
バッファタンク３６は、アノードガス排気配管３５を通って流れてきたアノードオフガスを一旦蓄える。アノードオフガス中の水蒸気の一部は、バッファタンク３６内で凝縮して液水となり、アノードオフガスから分離される。
【００２９】
パージ通路３７は、一端部がバッファタンク３６の下部に接続される。パージ通路３７の他端部は、開口端となっている。バッファタンク３６に溜められたアノードオフガス及び液水は、パージ通路３７を通って開口端から外気へ排出される。
【００３０】
パージ弁３８は、パージ通路３７に設けられる。パージ弁３８は、連続的又は段階的に開度を調節することができる電磁弁であり、その開度はコントローラ４によって制御される。パージ弁３８の開度を調節することで、バッファタンク３６からパージ通路３７を介して外気へ排出するアノードオフガスの量を調節し、バッファタンク３６内のアノードガス濃度が一定範囲内となるように調節する。これは、バッファタンク３６内のアノードガス濃度が高くなり過ぎると、バッファタンク３６からパージ通路３７を通って外気へ排出されるアノードガス量が多くなり、無駄となるからである。一方、濃度が低くなり過ぎると燃料が欠乏して発電不能になったり、触媒が劣化するからである。
【００３１】
燃料電池スタック２のカソードには、コンプレッサ１５から供給管１６を介してカソードガス（空気）が供給される。コンプレッサに代えて、ブロア等の空気供給手段を用いることができる。圧力センサ１４は、供給管１６に設けられ、カソードガスの圧力を検出する。燃料電池スタック２のカソードから排出されたカソードガスは、排出管１７を介して大気中に放出される。排出管１７には、背圧（カソードガス流路の圧力）を調整するため調圧バルブ１８が配置されている。
【００３２】
燃料電池スタック２には、さらにラジエータ４３から冷却水配管４２を介して冷却水が供給される。燃料電池スタック２で発生した熱を取り込んで温度上昇した冷却水は、冷却水配管４２を介してラジエータ４３に送られて冷やされた後、再び燃料電池スタック２の内部に循環される。冷却水配管４２には、水循環のための冷却水ポンプ４１が配置されている。
【００３３】
コントローラ４は、中央演算装置（ＣＰＵ）、読み出し専用メモリ（ＲＯＭ）、ランダムアクセスメモリ（ＲＡＭ）及び入出力インタフェース（Ｉ／Ｏインタフェース）を備えたマイクロコンピュータで構成される。
【００３４】
コントローラ４には、圧力センサ３４によって検出されるアノード圧、圧力センサ１４によって検出されるカソード圧、電圧センサ５によって検出される燃料電池スタック２の電圧など、燃料電池システム１の運転状態を検出するための信号が入力される。
【００３５】
コントローラ４は、これらの入力信号に基づいて圧力調整弁３３を周期的に開閉し、アノード圧を周期的に増減圧させる脈動運転を行うとともに、パージ弁３８の開度を調節してバッファタンク３６から排出するアノードオフガスの流量を調節し、バッファタンク３６内のアノードガス濃度を一定範囲内に保つ。
【００３６】
コントローラ４はまた、燃料電池スタック２に対する発電運転の停止指令に基づいて燃料電池スタック２の発電運転を停止し、停止後に発電運転の再開指令があると、燃料電池スタック２の発電運転を再開する。
【００３７】
さらに、コントローラ４は、後述するように、燃料電池スタック２の発電領域内で局所的にアノードガス濃度が低くなっている位置のアノードガス濃度を求め、求めたアノードガス濃度に応じて、燃料電池スタック２の発電運転の停止処理への移行可否を決定する。
【００３８】
アノードガス非循環型の燃料電池システム１の場合、圧力調整弁３３を開いたままにして高圧タンク３１から燃料電池スタック２にアノードガスを供給し続けてしまうと、燃料電池スタック２から排出された未使用のアノードガスを含むアノードオフガスが、バッファタンク３６からパージ通路３７を介して外気へ排出され続けてしまうので無駄となる。
【００３９】
そこで、本実施形態では、圧力調整弁３３を周期的に開閉し、アノード圧を周期的に増減圧させる脈動運転を行う。脈動運転を行うことで、バッファタンク３６に溜めたアノードオフガスを、アノード圧の減圧時に燃料電池スタック２に逆流させることができる。これにより、アノードオフガス中のアノードガスを再利用することができるので、外気へ排出されるアノードガス量を減らすことができ、無駄をなくすことができる。
【００４０】
図３は、燃料電池システム１の運転状態が一定の定常運転時における脈動運転について説明する図である。
【００４１】
図３（Ａ）に示すように、コントローラ４は、燃料電池システム１の運転状態（燃料電池スタックの負荷）に基づいて燃料電池スタック２の目標出力を算出し、目標出力に応じたアノード圧の上限値及び下限値を設定する。そして、設定したアノード圧の上限値及び下限値の間でアノード圧を周期的に増減圧させる。
【００４２】
具体的には、時刻ｔ１でアノード圧が下限値に達したら、図３（Ｂ）に示すように、少なくともアノード圧を上限値まで増圧させることができる開度まで圧力調整弁３３を開く。この状態のとき、アノードガスは、高圧タンク３１から燃料電池スタック２に供給され、バッファタンク３６へと排出される。
【００４３】
時刻ｔ２でアノード圧が上限値に達したら、図３（Ｂ）に示すように圧力調整弁３３を全閉とし、高圧タンク３１から燃料電池スタック２へのアノードガスの供給を停止する。そうすると、上述した（１）の電極反応によって、燃料電池スタック内部のアノードガス流路１２１に残されたアノードガスが時間の経過とともに消費されるので、アノードガスの消費分だけアノード圧が低下する。
【００４４】
また、アノードガス流路１２１に残されたアノードガスが消費されると、一時的にバッファタンク３６の圧力がアノードガス流路１２１の圧力よりも高くなるので、バッファタンク３６からアノードガス流路１２１へとアノードオフガスが逆流する。その結果、アノードガス流路１２１に残されたアノードガスと、アノードガス流路１２１に逆流したアノードオフガス中のアノードガスが時間の経過とともに消費され、さらにアノード圧が低下する。
【００４５】
時刻ｔ３でアノード圧が下限値に達したら、時刻ｔ１のときと同様に圧力調整弁３３が開かれる。そして、時刻ｔ４で再びアノード圧が上限値に達したら、圧力調整弁３３を全閉とする。
【００４６】
ここで、このような脈動運転を実施する場合、燃料電池システム１の運転状態が変化するとき、具体的には、燃料電池スタック２の目標出力が減少して、燃料電池スタック２の出力を目標出力に向けて減少させる過渡運転時（以下、下げ過渡運転時と呼ぶ）に、アノードガス流路１２１の内部で局所的にアノードガス濃度が他よりも低くなる部分が発生することがわかった。以下、この点について図４及び図５を参照して説明する。
【００４７】
図４は、下げ過渡運転時に圧力調整弁３３を全閉にしてアノード圧を下限圧まで低下させた場合のアノード圧の変化を示すタイムチャートである。
【００４８】
時刻ｔ１１で、例えばアクセル操作量が減少して燃料電池スタック２の目標出力が低下すると、図４（Ａ）に示すように、低下した目標出力に応じたアノード圧の上限値及び下限圧が設定される。高出力時は消費する燃料の量が多いため、低出力時に比較してアノード圧を高く設定するのが一般的である。
【００４９】
このとき、図４（Ａ）及び図４（Ｂ）に示すように、時刻ｔ１１で圧力調整弁３３を全閉にしてアノード圧を下限値まで低下させると（時刻ｔ１２）、アノードガス流路１２１の内部で局所的にアノードガス濃度が他よりも低くなる部分が発生する。この理由について、図５を参照して説明する。
【００５０】
図５は、アノードガス流路１２１の内部で局所的にアノードガス濃度が他よりも低くなる部分が発生する理由について説明するための図である。図５（Ａ）は、下げ過渡運転時に圧力調整弁３３を全閉にしたときの、アノードガス流路１２１内のアノードガス及びアノードオフガスの流れを示す図である。図５（Ｂ）は、下げ過渡運転時に圧力調整弁３３を全閉にしたときの、アノードガス流路１２１内のアノードガスの濃度分布を時間の経過に応じて示した図である。
【００５１】
図５（Ａ）に示すように、圧力調整弁３３が全閉にされると、アノードガス流路１２１に残されたアノードガスは、慣性でバッファタンク３６側へと流れる。そして、アノードガス流路１２１に残されたアノードガスが消費されと、一時的にバッファタンク３６の圧力がアノードガス流路１２１の圧力よりも高くなるので、バッファタンク３６側からアノードガス流路１２１へとアノードオフガスが逆流してくる。
【００５２】
そうすると、アノードガス流路１２１をバッファタンク３６側に流れるアノードガスと、バッファタンク３６側からアノードガス流路１２１へと逆流してきたアノードオフガスと、の合流部において、それぞれのガス流速がゼロとなる淀み点が発生する。
【００５３】
アノードガス流路１２１内でこのような淀み点が発生すると、上述した（１）の電極反応に使用されないアノードオフガス中の窒素が、時間の経過に応じて淀み点近傍に溜まっていく。その結果、淀み点近傍の窒素濃度が時間の経過に応じて他よりも高くなってしまい、図５（Ｂ）に示すように、淀み点近傍のアノードガス濃度が時間の経過に応じて他よりも低くなってしまう。以下の説明において、この淀み点におけるアノードガス濃度のことを、必要に応じて「流路内最低アノードガス濃度」という。
【００５４】
このように、下げ過渡運転後は、アノードガス流路１２１の内部に淀み点が存在する状態となり、アノードガス流路１２１の内部で局所的にアノードガス濃度が他よりも低くなる部分が発生する。このアノードガス濃度が他よりも低くなる部分では、上述したカソード触媒の劣化が顕著になる。
【００５５】
第１の実施形態における燃料電池システムでは、流路内最低アノードガス濃度Ｃｍｉｎを推定し、推定した流路内最低アノードガス濃度Ｃｍｉｎ（以下、推定流路内最低アノードガス濃度Ｃｍｉｎとも呼ぶ）に応じて、燃料電池スタック２の停止処理への移行の許可／禁止を判断する。
【００５６】
図６は、第１の実施形態における燃料電池システムによって行われる、燃料電池スタック２の停止処理への移行の許可／禁止を判断する処理を示すフローチャートである。ステップＳ１０から始まる処理は、コントローラ４によって行われる。
【００５７】
ステップＳ１０では、流路内最低アノードガス濃度Ｃｍｉｎを推定する。流路内最低アノードガス濃度Ｃｍｉｎの推定方法を、図７を用いて説明する。
【００５８】
図７は、アノード圧降下量ΔＰａと、下げ過渡前バッファ濃度Ｃｂｕｆｆ＿ｐｒｅと、に基づいて、推定流路内最低アノードガス濃度Ｃｍｉｎを算出するマップである。アノード圧降下量ΔＰａは、下げ過渡運転に入る直前のアノード圧と、現在のアノード圧との差圧である。また、下げ過渡前バッファ濃度Ｃｂｕｆｆ＿ｐｒｅは、下げ過渡運転に入る直前のバッファタンク３６内のアノードガスの濃度であり、図示しないセンサにより検出する。
【００５９】
図６に示すように、下げ過渡運転中における推定流路内最低アノードガス濃度Ｃｍｉｎは、アノード圧降下量ΔＰａが大きくなるほど、また、下げ過渡前バッファ濃度Ｃｂｕｆｆ＿ｐｒｅが低いほど低くなる。
【００６０】
コントローラ４は、アノード圧降下量ΔＰａおよび下げ過渡前バッファ濃度Ｃｂｕｆｆ＿ｐｒｅを求め、求めたアノード圧降下量ΔＰａおよび下げ過渡前バッファ濃度Ｃｂｕｆｆ＿ｐｒｅと、図７に示すマップとに基づいて、流路内最低アノードガス濃度Ｃｍｉｎを推定する。
【００６１】
ステップＳ２０では、燃料電池スタック２の発電停止要求があったか否かを判定する。例えば、アイドルストップ機能を有する車両がアイドルストップすると、燃料電池スタック２の発電停止要求が出される。燃料電池スタック２の発電停止要求がないと判定するとステップＳ１０に戻り、発電停止要求があったと判定すると、ステップＳ３０に進む。
【００６２】
ステップＳ３０では、ステップＳ１０で推定した流路内最低アノードガス濃度Ｃｍｉｎが所定濃度ＣＯ以上であるか否かを判定する。以下では、次回の燃料電池スタック２の発電運転の再開時に、燃料電池スタック２の出力が低下する量のシステム許容量に基づいて、所定濃度ＣＯを決定する方法と、燃料電池スタック２の発電運転の停止中に、カソード触媒が劣化する量の許容量に基づいて、所定濃度ＣＯを決定する方法についてそれぞれ説明する。
【００６３】
図８は、流路内最低アノードガス濃度Ｃｍｉｎと、発電運転再開時における燃料電池スタック２の出力低下量との関係を示す図である。図８に示すように、流路内最低アノードガス濃度Ｃｍｉｎが低いほど、発電運転再開時における燃料電池スタック２の出力低下量は大きくなる。閾値である所定濃度ＣＯは、システムとして許容できる燃料電池スタック２の出力低下量に対応するアノードガス濃度とする。
【００６４】
図９は、流路内最低アノードガス濃度Ｃｍｉｎと、燃料電池スタック２の発電運転の停止中におけるカソード触媒の劣化量との関係を示す図である。図９に示すように、流路内最低アノードガス濃度Ｃｍｉｎが低いほど、カソード触媒の劣化量は大きくなる。閾値である所定濃度ＣＯは、許容できるカソード触媒劣化量に対応するアノードガス濃度とする。
【００６５】
図６に示すフローチャートのステップＳ３０において、ステップＳ１０で推定した流路内最低アノードガス濃度Ｃｍｉｎが所定濃度ＣＯ以上であると判定すると、ステップＳ４０に進み、燃料電池スタック２の発電運転を停止させる。一方、推定した流路内最低アノードガス濃度Ｃｍｉｎが所定濃度ＣＯ未満であると判定すると、燃料電池スタック２の発電運転を継続させる。
【００６６】
以上、第１の実施形態における燃料電池システムによれば、アノードガス非循環型の燃料電池システムにおいて、燃料電池の発電領域内で局所的にアノードガス濃度が低くなっている位置のアノードガス濃度を求め、求めたアノードガス濃度に応じて、燃料電池の発電運転の停止処理への移行可否を決定する。これにより、アノードガス非循環型の燃料電池システムにおいて、発電領域内で局所的に低くなっているアノードガス濃度を考慮して、燃料電池の発電運転の停止処理への移行可否を適切に決定することができる。従って、発電運転を停止させるべきでないときに停止させてしまうことを防ぐことができるので、停止中のカソード触媒の劣化を抑制することができ、また、運転再開後の出力応答性の低下を防ぐことができる。なお、触媒の劣化は、発電運転停止中にカソードからアノードにクロスリークしてくるカソードガスによって水素フロントが形成されることによって生じる。具体的には、カソード内で、電気触媒としての白金を担持しているカーボンが電気化学反応によって生成された水と反応することで二酸化炭素に変化してしまい、カーボンに担持されていた白金が溶出して触媒機能が低下してしまう。
【００６７】
特に、求めたアノードガス濃度が所定濃度以上の場合に、燃料電池の発電運転の停止処理への移行を許可するので、アノードガス濃度が低い状態で燃料電池の発電運転が停止するのを確実に防ぐことができる。
【００６８】
求めたアノードガス濃度と比較する所定濃度を、発電運転の停止状態から、燃料電池の発電運転を再開したときに許容できる燃料電池の出力低下量に応じた濃度とすることにより、発電運転停止後の運転再開時における出力応答性を確保することができる。
【００６９】
また、求めたアノードガス濃度と比較する所定濃度を、発電運転の停止中に燃料電池のカソード触媒が劣化する劣化量の許容量に応じた濃度とすることにより、発電運転の停止中にカソード触媒がシステム許容量を超えて劣化するのを確実に防ぐことができる。
【００７０】
−第２の実施形態−
第１の実施形態における燃料電池システムでは、流路内最低アノードガス濃度Ｃｍｉｎを推定し、推定した流路内最低アノードガス濃度Ｃｍｉｎに応じて、燃料電池スタック２の停止処理への移行の許可／禁止を判断した。第２の実施形態における燃料電池システムでは、燃料電池スタック２の発電運転の停止処理直前におけるアノード圧の降下量ΔＰａに応じて、燃料電池スタック２の停止処理への移行の許可／禁止を判断する。
【００７１】
図１０は、第２の実施形態における燃料電池システムによって行われる、燃料電池スタック２の停止処理への移行の許可／禁止を判断する処理を示すフローチャートである。図６に示すフローチャートの処理と同一の処理を行うステップについては、同一の符号を付して詳しい説明は省略する。
【００７２】
ステップＳ１００では、車両のアクセルペダルがオフされたか否かを判定する。アクセルペダルのオン／オフは、図示しないアクセルペダルセンサにより検出する。アクセルペダルがオフされていないと判定するとステップＳ１００で待機し、アクセルペダルがオフされたと判定すると、ステップＳ１１０に進む。
【００７３】
ステップＳ１１０では、圧力センサ３４によって、アノード圧を検出する。
【００７４】
ステップＳ１２０では、ステップＳ１１０で検出されたアノード圧をコントローラ４のＲＡＭに記憶するとともに、ステップＳ１１０でアノード圧を検出した時点より時間Δｔ以前に検出されたアノード圧を、ＲＡＭから消去する。これにより、ＲＡＭには、時間Δｔ間に検出されたアノードガス圧力が記憶されることになる。
【００７５】
ステップＳ１２０に続くステップＳ２０では、燃料電池スタック２の発電停止要求があったか否かを判定する。燃料電池スタック２の発電停止要求がないと判定すると、ステップＳ１００に戻り、発電停止要求があったと判定すると、ステップＳ１３０に進む。
【００７６】
ステップＳ１３０では、圧力センサ３４によってアノード圧を検出し、検出したアノード圧が所定圧力Ｐ１以下であるか否かを判定する。検出したアノード圧が所定圧力Ｐ１より高いと判定すると、ステップＳ１３０で待機し、所定圧力Ｐ１以下であると判定すると、ステップＳ１４０に進む。
【００７７】
ステップＳ１４０では、ステップＳ１３０で検出されたアノード圧をコントローラ４のＲＡＭに記憶するとともに、ステップＳ１３０でアノード圧を検出した時点より時間Δｔ以前に検出されたアノード圧を、ＲＡＭから消去する。これにより、ＲＡＭには、時間Δｔ間に検出されたアノード圧が記憶されることになる。
【００７８】
ステップＳ１５０では、コントローラ４のＲＡＭに記憶されている複数のアノード圧の中の最大値と、ステップＳ１３０で検出されたアノード圧との差ΔＰａを算出する。
【００７９】
ステップＳ１６０では、ステップＳ１５０で算出した圧力差ΔＰａが所定圧力差ΔＰ０以下であるか否かを判定する。以下では、次回の燃料電池スタック２の発電運転の再開時に、燃料電池スタック２の出力が低下する量のシステム許容量に基づいて、所定圧力差ΔＰ０を決定する方法と、燃料電池スタック２の発電運転の停止中に、カソード触媒が劣化する量の許容量に基づいて、所定圧力差ΔＰ０を決定する方法について説明する。
【００８０】
図１１は、アノード圧降下量ΔＰａと、発電運転再開時における燃料電池スタック２の出力低下量との関係を示す図である。図１１に示すように、アノード圧降下量ΔＰａが大きいほど、発電運転再開時における燃料電池スタック２の出力低下量は大きくなる。閾値である所定圧力差ΔＰ０は、システムとして許容できる燃料電池スタック２の出力低下量に対応するアノード圧降下量とする。
【００８１】
図１２は、アノード圧降下量ΔＰａと、燃料電池スタック２の発電運転の停止中におけるカソード触媒の劣化量との関係を示す図である。図１２に示すように、アノード圧降下量ΔＰａが大きいほど、発電運転停止中におけるカソード触媒の劣化量は大きくなる。閾値である所定圧力差ΔＰ０は、許容できるカソード触媒劣化量に対応するアノード圧降下量とする。
【００８２】
図１０に示すフローチャートのステップＳ１６０において、圧力差ΔＰａが所定圧力差ΔＰ０以下であると判定するとステップＳ４０に進んで、燃料電池スタック２の発電運転を停止させ、所定圧力差ΔＰ０より高いと判定すると、ステップＳ５０に進んで、燃料電池スタック２の発電運転を継続させる。
【００８３】
図１３は、アクセルペダルがオフされた後のアノード圧の時間変化の一例を示す図である。時刻ｔ０において、アクセルペダルがオフされると、圧力調整弁３３が全閉され、アノード圧が低下していく。その後、燃料電池スタック２の発電運転の停止要求があり、時刻ｔ１において、アノード圧が所定圧力Ｐ１まで低下している。
【００８４】
図１３に示す例では、アクセルペダルがオフされた時刻ｔ０から、アノード圧が所定圧力Ｐ１まで低下するのに、時間Δｔ０かかっている。上記所定時間Δｔは、少なくとも、圧力調整弁３３を全閉させて所定圧力Ｐ１まで圧力を低下させた場合の降圧時間Δｔ０よりも長い時間とする。
【００８５】
図１３に示す例では、アクセルペダルがオフされた時刻ｔ０において検出されたアノード圧がＲＡＭに記憶されているため、時刻ｔ０に検出されたアノード圧と、時刻ｔ１に検出されたアノード圧Ｐ１との差がΔＰａとして算出される。
【００８６】
図ｌ４は、アクセルペダルがオフされた後のアノード圧の時間変化の別の例を示す図である。時刻ｔ２において、アクセルペダルがオフされると、圧力調整弁３３が全閉され、アノードガス圧力が低下していく。その後、時刻ｔ３において、アクセルペダルがオンされると、圧力調整弁３３が開かれるが、時刻ｔ４において、アクセルペダルが再びオフされると、圧力調整弁３３が全閉され、アノード圧が低下していく。その後、燃料電池スタック２の発電運転の停止要求があり、時刻ｔ５において、アノード圧が所定圧力Ｐ１まで低下している。
【００８７】
図１４に示す例では、アクセルペダルがオフされた時刻ｔ２において検出されたアノード圧と、アクセルペダルがオフされた時刻ｔ４において検出されたアノード圧がＲＡＭに記憶されている。この二つのアノード圧のうち、高い方の圧力、すなわち、時刻ｔ２において検出されたアノード圧と、時刻ｔ５において検出されたアノード圧Ｐ１との差がΔＰａとして算出される。
【００８８】
以上、第２の実施形態における燃料電池システムによれば、燃料電池の発電運転を停止させる直前のアノード系内の圧力降下量を求め、アノード系内の圧力降下量に応じて、燃料電池の発電運転の停止処理への移行可否を決定する。これにより、アノードガス非循環型の燃料電池システムにおいて、燃料電池の発電運転の停止処理への移行可否を適切に決定することができる。従って、発電運転を停止させるべきでないときに停止させてしまうことを防ぐことができるので、停止中のカソード触媒の劣化を抑制することができ、また、運転再開後の出力応答性の低下を防ぐことができる。
【００８９】
特に、求めたアノード系内の圧力降下量が所定圧力降下量以下の場合に、燃料電池の発電運転の停止処理への移行を許可するので、アノードガス濃度が低い状態で燃料電池の発電運転が停止するのを確実に防ぐことができる。
【００９０】
求めたアノード系内の圧力降下量と比較する所定圧力降下量を、発電運転の停止状態から、燃料電池の発電運転を再開したときに許容できる燃料電池の出力低下量に応じた圧力降下量とすることにより、発電運転停止後の運転再開時における出力応答性を確保することができる。
【００９１】
また、求めたアノード系内の圧力降下量と比較する所定圧力降下量を、発電運転の停止中に燃料電池のカソード触媒が劣化する劣化量の許容量に応じた圧力降下量とすることにより、発電運転の停止中にカソード触媒がシステム許容量を超えて劣化するのを確実に防ぐことができる。
【００９２】
本発明は、上述した実施形態に限定されることはない。例えば、燃料電池システムを車両に搭載した例を挙げて説明したが、車両以外の様々なものに適用することもできる。
【００９３】
流路内最低アノードガス濃度Ｃｍｉｎは、アノード圧降下量ΔＰと、下げ過渡前バッファ濃度Ｃｂｕｆｆ＿ｐｒｅとに基づいて、推定するようにしたが、アノードガス濃度を検出するセンサを複数設けて、最低アノードガス濃度を検出するようにしてもよい。また、実験等によって、アノードガス濃度が最低となる位置を予め求めておいて、その位置にアノードガス濃度を検出するセンサを設けるようにしてもよい。
【符号の説明】
【００９４】
１…燃料電池システム
２…燃料電池スタック
４…コントローラ（脈動運転制御手段、停止再始動制御手段、アノードガス濃度取得手段、停止処理決定手段）
３３…圧力調整弁
３６…バッファタンク（バッファ部）
【図１】
2013182690.tif 000003
【図２】
2013182690.tif 000004
【図３】
2013182690.tif 000005
【図４】
2013182690.tif 000006
【図５】
2013182690.tif 000007
【図６】
2013182690.tif 000008
【図７】
2013182690.tif 000009
【図８】
2013182690.tif 000010
【図９】
2013182690.tif 000011
【図１０】
2013182690.tif 000012
【図１１】
2013182690.tif 000013
【図１２】
2013182690.tif 000014
【図１３】
2013182690.tif 000015
【図１４】
2013182690.tif 000016